(57)【要約】【課題】画像データと対応付けられた文字列情報を容易に登録することができる通信端末装置を得る。【解決手段】本発明による通信端末装置は、画像データと文字列とを対応付けて記憶する記憶部２を含む。そして、本発明による通信端末装置は、受信された画像データの所定領域に文字列情報が格納されている場合に、受信された画像データとその所定領域の文字列情報とを対応付けて記憶部２に格納する制御部１をさらに含むことを特徴とする。【選択図】図１
2014135101.tif 000002
【特許請求の範囲】
【請求項１】
画像データと文字列とを対応付けて記憶する第１の記憶手段と、
受信された画像データの所定領域に文字列情報が格納されている場合に、前記受信された画像データと前記所定領域の文字列とを対応付けて前記第１の記憶手段に格納する制御手段とを含むことを特徴とする通信端末装置。
【請求項２】
表示部を更に含み、
前記制御手段は、入力された文字列に対応する画像データを前記第１の記憶手段から検索し、検索された前記対応する画像データを前記入力された文字列の変換候補として前記表示部に表示させることを特徴とする請求項１記載の通信端末装置。
【請求項３】
文字列とこの文字列に対応する文字列とを対応付けて記憶する第２の記憶手段を更に含み、
前記制御手段は、前記入力された文字列に対応する文字列を前記第２の記憶手段から検索し、検索された前記対応する文字列を前記対応する画像データと共に前記入力された文字列の変換候補として前記表示部に表示させることを特徴とする請求項２記載の通信端末装置。
【請求項４】
前記所定領域は、画像データのコメント領域であることを特徴とする請求項１〜３いずれか記載の通信端末装置。
【請求項５】
前記画像データは、絵文字であることを特徴とする請求項１〜４いずれか記載の通信端末装置。
【請求項６】
画像データと文字列とを対応付けて記憶する第１の記憶手段を含む通信端末装置の動作制御方法であって、
受信された画像データの所定領域に文字列情報が格納されている場合に、前記受信された画像データと前記所定領域の文字列とを対応付けて前記第１の記憶手段に格納する制御ステップを含むことを特徴とする動作制御方法。
【請求項７】
前記制御ステップは、入力された文字列に対応する画像データを前記第１の記憶手段から検索するステップと、検索された前記対応する画像データを前記入力された文字列の変換候補として前記通信端末装置の表示部に表示させる表示ステップとを含むことを特徴とする請求項６記載の動作制御方法。
【請求項８】
前記制御ステップは、文字列とこの文字列に対応する文字列とを対応付けて記憶する第２の記憶手段から前記入力された文字列に対応する文字列を検索するステップを更に含み、前記表示ステップは、検索された前記対応する文字列を前記対応する画像データと共に前記入力された文字列の変換候補として前記表示部に表示させることを特徴とする請求項７記載の動作制御方法。
【請求項９】
前記所定領域は、画像データのコメント領域であることを特徴とする請求項６〜８いずれか記載の動作制御方法。
【請求項１０】
前記画像データは、絵文字であることを特徴とする請求項６〜９いずれか記載の動作制御方法。
【請求項１１】
画像データと文字列とを対応付けて記憶する第１の記憶手段を含む通信端末装置の動作制御方法をコンピュータに実行せしめるプログラムであって、
受信された画像データの所定領域に文字列情報が格納されている場合に、前記受信された画像データと前記所定領域の文字列とを対応付けて前記第１の記憶手段に格納する処理を含むことを特徴とするプログラム。
【発明の詳細な説明】
【技術分野】
【０００１】
本発明は通信端末装置、動作制御方法及びプログラムに関し、特に読みを入力して所望の画像データに変換可能な通信端末装置に関する。
【背景技術】
【０００２】
携帯電話端末のメール機能などにおける文字入力では、文字だけでなく端末に保存されたデコメ絵文字、デコレーション絵文字のような画像データを通常の文字と同じように入力することができる。
【０００３】
例えば特許文献１には、絵文字とキーワードとを対応付けて記憶したデータベースから、ユーザにより入力された文字列と対応する絵文字が取得され、この取得された絵文字がユーザにより入力された文字列の変換候補として表示画面に表示されることが記載されている。
【先行技術文献】
【特許文献】
【０００４】
【特許文献１】特開２００８−１２９６８７号公報
【発明の概要】
【発明が解決しようとする課題】
【０００５】
上述したように特許文献１記載の技術では、絵文字とキーワードとを対応付けて記憶したデータベースを基に変換候補としての絵文字が抽出される。したがって、特許文献１記載の技術は、該データベースに予め登録された絵文字に対してのみ有効であり、例えばネットワークからダウンロードされた絵文字については適用できない。
【０００６】
これに対して、ダウンロードされた絵文字を保存する際に、ユーザが文字列を入力して該絵文字と対応付けて該データベースに登録するという方法が考えられる。しかしながら、絵文字の保存ごとにユーザが適切な文字列を付与する必要があり、ユーザへの負荷が大きいという問題がある。
【０００７】
本発明の目的は、上述した課題を解決し、画像データと対応付けられた文字列情報を容易に登録することができる通信端末装置、動作制御方法及びプログラムを提供することにある。
【課題を解決するための手段】
【０００８】
本発明による通信端末装置は、画像データと文字列とを対応付けて記憶する第１の記憶手段と、受信された画像データの所定領域に文字列情報が格納されている場合に、前記受信された画像データと前記所定領域の文字列とを対応付けて前記第１の記憶手段に格納する制御手段とを含むことを特徴とする。
【０００９】
本発明による動作制御方法は、画像データと文字列とを対応付けて記憶する第１の記憶手段を含む通信端末装置の動作制御方法であって、受信された画像データの所定領域に文字列情報が格納されている場合に、前記受信された画像データと前記所定領域の文字列とを対応付けて前記第１の記憶手段に格納する制御ステップを含むことを特徴とする。
【００１０】
本発明によるプログラムは、画像データと文字列とを対応付けて記憶する第１の記憶手段を含む通信端末装置の動作制御方法をコンピュータに実行せしめるプログラムであって、受信された画像データの所定領域に文字列情報が格納されている場合に、前記受信された画像データと前記所定領域の文字列とを対応付けて前記第１の記憶手段に格納する処理を含むことを特徴とする。
【発明の効果】
【００１１】
本発明によれば、画像データと対応付けられた文字列情報を容易に登録することができるという効果が得られる。
【図面の簡単な説明】
【００１２】
【図１】本発明の原理を説明するための通信端末装置の概略構成を示す図である。
【図２】本発明の実施の形態による携帯電話端末の構成を示す図である。
【図３】図２のコンテンツ取得部にて受信される画像データの例を示す図である。
【図４】図２の記憶部の読みデータテーブルと画像の保存例を示す図である。
【図５】ダウンロード画像保存時の本発明の実施の形態による携帯電話端末の動作を示すフローチャートである。
【図６】メール作成などのユーザによる文字入力時の本発明の実施の形態による携帯電話端末の動作を示すフローチャートである。
【図７】図２の表示部の画面遷移例を示す図である。
【発明を実施するための形態】
【００１３】
本発明の実施の形態について説明する前に、本発明の理解を助けるために、本発明の原理について図面を参照して説明する。図１は本発明の原理を説明するための通信端末装置の概略構成を示す図である。
【００１４】
図１に示した通信端末装置は、画像データと文字列とを対応付けて記憶する記憶部２と、受信された画像データの所定領域に文字列情報が格納されている場合に、受信された画像データとその所定領域の文字列とを対応付けて記憶部２に格納する制御部１とを含む。
【００１５】
このように、制御部１は受信された画像データの所定領域に格納されている文字列を該画像データに対応する文字列として記憶部２に登録するようにしているので、ユーザが受信された画像データに文字列を付与する必要がなく、よって、画像データと対応付けられた文字列情報を容易に登録することができる。
【００１６】
以下、本発明の実施の形態について図面を参照して説明する。
【００１７】
図２は本発明の実施の形態による携帯電話端末の構成を示す図である。図２において、本発明の実施の形態による携帯電話端末は、プログラム制御により動作する制御部１１と、図示せぬネットワークとの間で無線信号を送受信する無線部１２と、読みデータ、画像データ等を保持する記憶部１３と、ユーザからのキー入力を受け付ける入力部１４と、ユーザに対して結果を表示する表示部１５とを含む。
【００１８】
制御部１１は、コンテンツ取得部１１１と、解析部１１２と、登録部１１３と、変換部１１４とを含む。コンテンツ取得部１１１は、無線部１２を経由して画像データ取得処理を行う。解析部１１２は、コンテンツ取得部１１１にて受信された画像データの内容・フォーマットを解析する。登録部１１３は、受信された画像データを記憶部１３に保存すると共に、受信された画像データから抽出された読み情報（文字列情報）を記憶部１３の読みデータテーブルに登録する。変換部１１４は、入力部１４を用いてユーザにより入力された読み（文字列）を記憶部１３の読みデータテーブルを基に画像へ変換し、表示部１５に表示する。
【００１９】
一般的に画像データファイルには、先頭部分にその画像データに関する各種情報が記述されたヘッダ部（ｈｅａｄｅｒ）があり、それに続く形で実際の画像データ自体を表現するデータ部（ｄａｔａ）が存在する。また、一般的な画像フォーマットでは、ヘッダ部内にユーザが自由にテキスト情報を記述するためのコメント領域（Ｃｏｍｍｅｎｔ領域）がある。絵文字として標準的なフォーマットとなっているＧＩＦ（Ｇｒａｐｈｉｃ  Ｉｎｔｅｒｃｈａｎｇｅ  Ｆｏｒｍａｔ）形式にもコメント領域が規定されている。
【００２０】
図３はコンテンツ取得部１１１にて受信される画像データの例を示す図である。図３（ａ）に示すような画像データ２１は、一般的な画像データと同様、図３（ｂ）に示すようにヘッダ部２２とデータ部２４とを含む。そして、ヘッダ部２２のコメント領域２３に、「ｙｏｍｉ＝“やきゅう”，ｙｏｍｉ＝“だしゃ”」とテキストが記述されている。これは、画像データ２１に対応する読み情報として「やきゅう」と「だしゃ」が関連付けられていることを意味する。本例では「ｙｏｍｉ＝“ｘｘｘ”」と記載することで画像データに対応する読み情報であると規定しているが、ここのテキストフォーマットについては端末側とコンテンツ作成者間で自由に規定してよい。
【００２１】
解析部１１２は、画像データ２１のコメント領域２３に読み情報が含まれているかを解析する。登録部１１３は、その読み情報を取得し、画像データ２１と関連付けるための記憶部１３の読みデータテーブルに保存すると共に、画像データ２１を記憶部１３に保存する。
【００２２】
図４は記憶部１３の読みデータテーブルと画像の保存例を示す図である。図４（ｂ）に示すように記憶部１３には、各画像とその画像を一意に表す画像ＩＤとが対応付けて保存される。また、図４（ａ）は記憶部１３の読みデータテーブルであり、読み（文字列）とその読みに関連する画像の画像ＩＤとが読みデータテーブルに対応付けて保存される。ここで、一つの画像に対して複数の読みが関連付けられたり、複数の画像に対して同一の読みが関連付けられることも許容されるものとする。
【００２３】
コンテンツ取得部１１１にて受信された画像データが画像データ２１である場合、図４（ｂ）に示すように画像データ２１が画像ＩＤ「００１」を付与されて記憶部１３に保存されると共に、図４（ａ）に示すように読み情報である「やきゅう」と「だしゃ」がそれぞれ画像データ２１の画像ＩＤ「００１」と対応付けて読みデータテーブルに登録される。
【００２４】
次に、本発明の実施の形態による携帯電話端末の動作について図面を参照して説明する。図５はダウンロード画像保存時の本発明の実施の形態による携帯電話端末の動作を示すフローチャートである。図５において、まず、ユーザ操作やメール受信等でネットワークからの画像取得が発生すると、コンテンツ取得部１１１は無線部１２を介して画像データを取得する（ステップＳ１）。コンテンツ取得部１１１は受信された画像データを解析部１１２へ渡し、解析部１１２は画像データのフォーマットに従い、コメント領域に読み情報が含まれているかを解析する（ステップＳ２）。
【００２５】
受信された画像データのコメント領域に読み情報が含まれている場合（ステップＳ３）、登録部１１３は、その読み情報を取得し（ステップＳ４）、受信された画像データと関連付けるために記憶部１３の読みデータテーブルに保存する（ステップＳ５）。また、登録部１１３は、受信された画像データのコメント領域に読み情報が含まれているか否かに関わらず、受信された画像データ自体を記憶部１３に保存する（ステップＳ６）。
【００２６】
図６はメール作成などのユーザによる文字入力時の本発明の実施の形態による携帯電話端末の動作を示すフローチャートである。図７は図２の表示部１５の画面遷移例を示す図である。図６及び図７において、図７のメール作成画面３１が表示されている状態から、ユーザが入力部１４を用いて読み仮名入力を行う（図６のステップＳ１１、図７の表示画面３２）。制御部１１の変換部１１４は、既知の単語辞書を使用し、入力された読み仮名に対応する変換候補を検索する（図６のステップＳ１２）。なお、この既知の単語辞書は、記憶部１３に予め格納されており、読み仮名（文字列）とこの読み仮名に対応するかな漢字（文字列）とを対応付けて記憶する第２のテーブルである。
【００２７】
また、変換部１１４は、記憶部１３の読みデータテーブルを参照し、入力された読み仮名に対応する画像があるかを検索する（図６のステップＳ１３）。対応画像がある場合（図６のステップＳ１４）、変換部１１４は、対応画像を取得し（図６のステップＳ１５）、この対応画像を入力された読み仮名の変換候補の一つとして、図６のステップＳ１２において得られた変換候補と併せて表示部１５に選択可能に表示する（図６のステップＳ１６、図７の表示画面３３）。
【００２８】
ここで、入力された読み仮名が図７の表示画面３２に示すように「やきゅう」である場合、図４に示すように「やきゅう」という読みに対して画像ＩＤ「００１」を有する画像２１が対応付けられているので、図７の表示画面３３に示すように画像２１が変換候補の一つとして表示される。この表示画面３３において、ユーザが入力部１４を用いて画像２１を選択すると、入力された「やきゅう」に対する変換結果として変換候補の中から画像２１が選択される（図７の表示画面３４）。
【００２９】
図６のステップＳ１４において対応画像がない場合、変換部１１４は、図６のステップＳ１２において得られた変換候補を表示部１５に選択可能に表示する（図６のステップＳ１６）。
【００３０】
なお、図５及び図６に示した各フローチャートに従った携帯電話端末の処理動作は、該端末において、予めＲＯＭ等の記憶媒体に格納されたプログラムを、ＣＰＵ（制御部）となるコンピュータに読み取らせて実行せしめることにより、実現できることは勿論である。
【００３１】
以上説明したように、本発明の実施の形態では、受信された画像データのコメント領域に格納されている文字列が該画像データに対応する文字列として記憶部１３の読みデータテーブルに登録される。したがって、ユーザが受信された画像データに文字列を付与する必要がなく、よって、画像データと対応付けられた文字列情報を容易に登録することができる。
【００３２】
また、本発明の実施の形態では、画像データのコメント領域に該画像データに対応する文字列（該画像データの読み情報）が埋め込まれる。したがって、本発明の実施の形態を実現するにあたり画像フォーマットの拡張が不要であり、コンテンツ作成者及び端末側での実現コストを抑えることができる。
【００３３】
なお、本発明の実施の形態では、受信される画像データに予め読み情報が付与されているが、ユーザ自身が画像に対して読み情報を付与したデータを作成し、第３者にメール等で渡すことも考えられる。これは、対象の画像に対して読みを入力する機能を本発明の実施の形態による携帯電話端末に実装し、入力された読み情報を対象の画像のコメント領域に特定のフォーマットで書き込んだ画像データを再生成することにより実現可能である。
【００３４】
また、図５のステップＳ３において受信された画像データのコメント領域に読み情報が含まれていない場合、ユーザ自身が読みを入力して該画像と対応付けて記憶部１３の読みデータテーブルに登録するようにしてもよい。
【００３５】
また、本発明の実施の形態は、携帯電話端末だけでなく、ネットワークや他の装置からデータを受信可能な通信端末装置全般に適用可能である。
【符号の説明】
【００３６】
１，１１    制御部
２，１３    記憶部
１２    無線部
１４    入力部
１５    表示部
２１    画像データ
２２    ヘッダ部
２３    コメント領域
２４    データ部
３１〜３４    表示画面
１１１    コンテンツ取得部
１１２    解析部
１１３    登録部
１１４    変換部
【図１】
2014135101.tif 000003
【図２】
2014135101.tif 000004
【図３】
2014135101.tif 000005
【図４】
2014135101.tif 000006
【図５】
2014135101.tif 000007
【図６】
2014135101.tif 000008
【図７】
2014135101.tif 000009